(57)【要約】【課題】美容効果をさらに高めることが交流パルスのパルス列を生成することができる美容用パルス生成装置を提供する。【解決手段】肌に通電する交流パルス列を生成する美容用パルス生成装置１００は、第１パルスと第２パルスとをこの順で１回ずつ生成する第１パターンと、第１パターンを連続して３回繰り返す第２パターンと、第１パルスオフとを生成する。そして、第２パターン、第１パルスオフ、第２パターン、第１パルスオフ、第１パターン、第１パルスオフ、第１パターン、第１パルスオフ、第１パターン、第１パルスオフ、第１パターン、第１パルスオフの順でこれを繰り返し生成する。第１パルスと第２パルスとの間、第２パルスと第１パルスオフとの間、第１パルスオフと第１パルスとの間の少なくともいずれかで、第１サブパルスを生成する。【選択図】図１
2016182271.tif 000002
【特許請求の範囲】
【請求項１】
被施術者の肌のしわやたるみを改善する美容効果を得るために前記肌に通電する交流パルス列を生成する美容用パルス生成装置であって、
前記交流パルス列は、正負のいずれか一方の極性で第１持続時間を有する第１パルスと前記第１パルスと逆極性の同電圧で前記第１持続時間を有する第２パルスとをこの順で１回ずつ生成する第１パターンと、前記第１パターンを連続して３回繰り返す第２パターンと、前記第１持続時間の２．５倍の時間パルスをオフにする第１パルスオフとを、前記第２パターン、前記第１パルスオフ、前記第２パターン、前記第１パルスオフ、前記第１パターン、前記第１パルスオフ、前記第１パターン、前記第１パルスオフ、前記第１パターン、前記第１パルスオフ、前記第１パターン、前記第１パルスオフの順でこれを繰り返し生成し、
前記第１パルスと前記第２パルスとの間、前記第２パルスと前記第１パルスオフとの間、前記第１パルスオフと前記第１パルスとの間の少なくともいずれかで、前記第１持続時間の６分の１の持続時間を有する第１サブパルスを生成する美容用パルス生成装置。
【請求項２】
前記第１パターンの間では前記第１サブパルスを少なくとも２回生成し、前記第２パターンの間では前記第１サブパルスを少なくとも６回生成する、請求項１に記載の美容用パルス生成装置。
【請求項３】
被施術者の肌のしわやたるみを改善する美容効果を得るために前記肌に通電する交流パルス列を生成する美容用パルス生成装置であって、
前記交流パルス列は、正負のいずれか一方の極性で第２持続時間の２倍弱の持続時間を有する第３パルスと、前記第３パルスと逆極性の同電圧で前記第２持続時間を有する第４パルスと、前記第３パルスと同極性の同電圧で前記第２持続時間を有する第５パルスと、前記第２持続時間よりやや短い時間パルスをオフにする第２パルスオフとを、前記第３パルス、前記第４パルス、前記第２パルスオフ、前記第３パルス、前記第４パルス、前記第２パルスオフ、前記第５パルス、前記第２パルスオフ、前記第４パルス、前記第２パルスオフ、前記第５パルス、前記第２持続時間のパルスオフ、前記第４パルス、前記第２パルスオフの順でこれを繰り返し生成し、
前記第３パルスと前記第４パルスとの間、前記第４パルスと前記第２パルスオフとの間、前記第５パルスと前記第２パルスオフとの間、前記第２持続時間のパルスオフと前記第４パルスとの間の少なくともいずれかで、前記第２持続時間の１６分の１の持続時間を有する第２サブパルスを生成する美容用パルス生成装置。
【請求項４】
被施術者の肌のしわやたるみを改善する美容効果を得るために前記肌に通電する交流パルス列を生成する美容用パルス生成装置であって、
前記交流パルス列は、正負のいずれか一方の極性で第３持続時間を有する第６パルスと前記第６パルスと逆極性の同電圧で前記第３持続時間を有する第７パルスとの生成をこの順で２回繰り返す第３パターンと、前記第６パルスと同極性の同電圧で前記第３持続時間の３分の１の持続時間を有するパルスと前記第３持続時間の３分の２の時間のパルスオフと前記第６パルスと同極性の同電圧で前記第３持続時間の３分の１の持続時間を有するパルスとをこの順で生成する第４パターンと、前記第６パルスと逆極性の同電圧で前記第３持続時間の３分の１の持続時間を有するパルスと前記第３持続時間の３分の２の時間のパルスオフと前記第６パルスと逆極性の同電圧で前記第３持続時間の３分の１の持続時間を有するパルスとをこの順で生成する第５パターンと、前記第３持続時間の２．５倍の時間パルスをオフにする第３パルスオフと、前記第３持続時間とほぼ同一の時間パルスをオフにする第４パルスオフとを、前記第３パターン、前記第３パルスオフ、前記第４パターン、前記第４パルスオフ、前記第５パターン、前記第４パルスオフ、前記第３パターン、前記第３パルスオフ、前記第４パターン、前記第４パルスオフ、前記第５パターン、前記第３パルスオフ、前記第４パターン、前記第４パルスオフ、前記第５パターン、前記第３パルスオフ、前記第４パターン、前記第４パルスオフ、前記第５パターン、前記第３パルスオフよりやや短いパルスオフ、前記第４パターンの順でこれを繰り返し、
前記第６パルスと前記第７パルスとの間、前記第３パターンと前記第３パルスオフの間、前記第４パターンと前記第４パルスオフとの間、前記第５パターンと前記第４パルスオフとの間、前記第５パターンと前記第３パルスオフとの間、前記第４パターンと前記第６パルスとの間の少なくともいずれかで、前記第３持続時間の６分の１の持続時間を有する第３サブパルスを生成する美容用パルス生成装置。
【発明の詳細な説明】
【技術分野】
【０００１】
本発明は、被施術者の肌のしわやたるみを改善する美容効果を得るために肌に通電する交流パルスを生成する美容用パルス生成装置に関する。
【背景技術】
【０００２】
近年では、美容熱の高まりにより、美容サロンやエステサロンに通い、美顔、痩身、脱毛等を行う人が増えてきている。美容サロンやエステサロンでは、専門の施術者による美容施術を受けて大きな美容効果を得ることが期待されている。美容施術の中には、細胞の代謝を活性化させて細胞の修復や再生を行うものがある。
【０００３】
人の細胞の活動に必要なエネルギーは、細胞内のＡＴＰ（アデノシン三燐酸）が分解されるときに発生し、それが利用されている。ＡＴＰは細胞内のミトコンドリアにより合成されており、微弱電流（１０μＡ〜１０００μＡ）を肌に流すことにより、ミトコンドリアによるＡＴＰの合成を促進する。これにより、細胞の代謝が活性化し、細胞の修復、再生を円滑に行うと共に、筋肉を調整、回復、改善させることができる。
【０００４】
人（被施術者）の顔等の肌に微弱電流を流して細胞の代謝を活性化させる美容施術には、交流パルスを生成する美容用パルス生成装置に、通電可能なかっさ板や円鍼といった美容器具を２つ接続し、被施術者の肌に少し距離を空けて該美容器具を押し当てる方法がある。これにより、美容用パルス生成装置で生成した交流パルスの微弱電流が２つの美容器具の間で肌に流れて、被施術者の顔等の筋肉のコリをほぐしたり、たるみやむくみを取り除くこと、すなわち、美容効果を得ることができる。
【０００５】
特許文献１には、肌のしわ、たるみなどの解消が図れる電気刺戟に適した通電条件、及びそれを使用した美容器具が開示されている。該美容器具は電流制御装置（本願の美容用パルス生成装置に相当）、接続コード、一対の導電性手袋から構成されている。一対の導電性手袋は銀を導電材として含有しており、絶縁性手袋を嵌めた施術者の両手に装着する。電流制御装置は、異なるパターンの交流方形波を連続的に組み合わせた複数種類の交流波形を組み合わせてなる組合せ交流波形の微弱電流を出力する。施術者は、被施術者の顔等の肌表面に導電性手袋を密着させ、マッサージ等を行う。このとき電流制御装置から出力された微弱電流が、導電性手袋を介して被施術者の肌に通電され、しわやたるみなどを解消し、美容効果を得る。
【先行技術文献】
【特許文献】
【０００６】
【特許文献１】特開２００１−１９８２２７号公報
【発明の概要】
【発明が解決しようとする課題】
【０００７】
微弱電流を肌に流したときに被施術者が得る美容効果は、交流パルスのパルス列の波形により異なることが知られている。特許文献１においても電流制御装置で生成する美容用交流パルス列の波形として異なる種類の波形が開示されている。美容効果をより高めるために、被施術者の肌に流す微弱電流の交流パルス列の波形には更なる改善の余地がある。
【０００８】
このように、美容効果をさらに高めることが交流パルスのパルス列を生成することができる美容用パルス生成装置が求められている。
【課題を解決するための手段】
【０００９】
本発明に係る美容用パルス生成装置の特徴構成は、被施術者の肌のしわやたるみを改善する美容効果を得るために前記肌に通電する交流パルス列を生成する美容用パルス生成装置であって、前記交流パルス列は、正負のいずれか一方の極性で第１持続時間を有する第１パルスと前記第１パルスと逆極性の同電圧で前記第１持続時間を有する第２パルスとをこの順で１回ずつ生成する第１パターンと、前記第１パターンを連続して３回繰り返す第２パターンと、前記第１持続時間の２．５倍の時間パルスをオフにする第１パルスオフとを、前記第２パターン、前記第１パルスオフ、前記第２パターン、前記第１パルスオフ、前記第１パターン、前記第１パルスオフ、前記第１パターン、前記第１パルスオフ、前記第１パターン、前記第１パルスオフ、前記第１パターン、前記第１パルスオフの順でこれを繰り返し生成し、前記第１パルスと前記第２パルスとの間、前記第２パルスと前記第１パルスオフとの間、前記第１パルスオフと前記第１パルスとの間の少なくともいずれかで、前記第１持続時間の６分の１の持続時間を有する第１サブパルスを生成する点である。
【００１０】
本特徴構成によれば、美容用パルス生成装置は、第１パルスと第２パルスとの間、第２パルスと第１パルスオフとの間、第１パルスオフと第１パルスとの間で、それぞれ第１持続時間の６分の１の持続時間を有する第１サブパルスを生成するので、美容施術による被施術者の美容効果を、従来の施術による美容効果よりも高めることができる。
【００１１】
本発明の美容用パルス生成装置においては、前記第１パターンの間では前記第１サブパルスを少なくとも２回生成し、前記第２パターンの間では前記第１サブパルスを少なくとも６回生成すると好適である。
【００１２】
本構成によれば、第１サブパルスが所定回数以上生成されるので、美容施術による被施術者の美容効果を、従来の施術による美容効果よりも高めることができる。
【００１３】
本発明に係る美容用パルス生成装置の特徴構成は、被施術者の肌のしわやたるみを改善する美容効果を得るために前記肌に通電する交流パルス列を生成する美容用パルス生成装置であって、前記交流パルス列は、正負のいずれか一方の極性で第２持続時間の２倍弱の持続時間を有する第３パルスと、前記第３パルスと逆極性の同電圧で前記第２持続時間を有する第４パルスと、前記第３パルスと同極性の同電圧で前記第２持続時間を有する第５パルスと、前記第２持続時間よりやや短い時間パルスをオフにする第２パルスオフとを、前記第３パルス、前記第４パルス、前記第２パルスオフ、前記第３パルス、前記第４パルス、前記第２パルスオフ、前記第５パルス、前記第２パルスオフ、前記第４パルス、前記第２パルスオフ、前記第５パルス、前記第２持続時間のパルスオフ、前記第４パルス、前記第２パルスオフの順でこれを繰り返し生成し、前記第３パルスと前記第４パルスとの間、前記第４パルスと前記第２パルスオフとの間、前記第５パルスと前記第２パルスオフとの間、前記第２持続時間のパルスオフと前記第４パルスとの間の少なくともいずれかで、前記第２持続時間の１６分の１の持続時間を有する第２サブパルスを生成する点である。
【００１４】
本特徴構成によれば、美容用パルス生成装置は、第３パルスと第４パルスとの間、第４パルスと第２パルスオフとの間、第５パルスと第２パルスオフとの間、第２持続時間のパルスオフと第４パルスオフとの間で、それぞれ第２持続時間の１６分の１の持続時間を有する第２サブパルスを生成するので、美容施術による被施術者の美容効果を、従来の施術による美容効果よりも高めることができる。
【００１５】
本発明に係る美容用パルス生成装置の特徴構成は、被施術者の肌のしわやたるみを改善する美容効果を得るために前記肌に通電する交流パルス列を生成する美容用パルス生成装置であって、前記交流パルス列は、正負のいずれか一方の極性で第３持続時間を有する第６パルスと前記第６パルスと逆極性の同電圧で前記第３持続時間を有する第７パルスとの生成をこの順で２回繰り返す第３パターンと、前記第６パルスと同極性の同電圧で前記第３持続時間の３分の１の持続時間を有するパルスと前記第３持続時間の３分の２の時間のパルスオフと前記第６パルスと同極性の同電圧で前記第３持続時間の３分の１の持続時間を有するパルスとをこの順で生成する第４パターンと、前記第６パルスと逆極性の同電圧で前記第３持続時間の３分の１の持続時間を有するパルスと前記第３持続時間の３分の２の時間のパルスオフと前記第６パルスと逆極性の同電圧で前記第３持続時間の３分の１の持続時間を有するパルスとをこの順で生成する第５パターンと、前記第３持続時間の２．５倍の時間パルスをオフにする第３パルスオフと、前記第３持続時間とほぼ同一の時間パルスをオフにする第４パルスオフとを、前記第３パターン、前記第３パルスオフ、前記第４パターン、前記第４パルスオフ、前記第５パターン、前記第４パルスオフ、前記第３パターン、前記第３パルスオフ、前記第４パターン、前記第４パルスオフ、前記第５パターン、前記第３パルスオフ、前記第４パターン、前記第４パルスオフ、前記第５パターン、前記第３パルスオフ、前記第４パターン、前記第４パルスオフ、前記第５パターン、前記第３パルスオフよりやや短いパルスオフ、前記第４パターンの順でこれを繰り返し、前記第６パルスと前記第７パルスとの間、前記第３パターンと前記第３パルスオフの間、前記第４パターンと前記第４パルスオフとの間、前記第５パターンと前記第４パルスオフとの間、前記第５パターンと前記第３パルスオフとの間、前記第４パターンと前記第６パルスとの間の少なくともいずれかで、前記第３持続時間の６分の１の持続時間を有する第３サブパルスを生成する点である。
【００１６】
本特徴構成によれば、美容用パルス生成装置は、第６パルスと第７パルスとの間、第３パターンと第３パルスオフの間、第４パターンと第４パルスオフとの間、第５パターンと第４パルスオフとの間、第５パターンと第３パルスオフとの間、第４パターンと第６パルスとの間で、それぞれ前記第３持続時間の６分の１の持続時間を有する第３サブパルスを生成するので、美容施術による被施術者の美容効果を、従来の施術による美容効果よりも高めることができる。
【図面の簡単な説明】
【００１７】
【図１】本実施形態に係る美容用パルス生成装置の外観斜視図である。
【図２】美容用パルス生成装置に接続される円鍼の外観斜視図である。
【図３】美容用パルス生成装置に接続されるかっさ板の外観斜視図である。
【図４Ａ】かっさ板による美容施術を行っている状態を表す概略図である。
【図４Ｂ】円鍼による美容施術を行っている状態を表す概略図である。
【図４Ｃ】かっさ板と円鍼による美容施術を行っている状態を表す概略図である。
【図５】美容用パルス生成装置の構成を表すブロック図である。
【図６】美容用パルス生成装置で生成、出力されるパルス列の波形である。
【図７】美容用パルス生成装置で生成、出力されるパルス列の波形である。
【図８】美容用パルス生成装置で生成、出力されるパルス列の波形である。
【発明を実施するための形態】
【００１８】
〔美容用パルス生成装置の構成〕
以下、本発明の実施形態に係る美容用パルス生成装置（以下、単に「パルス生成装置」と称する）１００について、図面を用いて詳細に説明する。図１に示すように、パルス生成装置１００は、不図示の商用電源に接続されることにより給電されており、内部で交流パルス（以下、単に「パルス」と称する）のパルス列を生成し、側面に設けられた鍼用出力端子１２２、１２２とかっさ用出力端子１２６（以下、総称するときは、単に「出力端子１２０」と称する）に接続された円鍼２２２、２２２、かっさ板２２６、２２６から外部に出力する装置である。
【００１９】
パルス生成装置１００は、美容サロンやエステサロン等で使用され、例えばエステティシャンである施術者が円鍼２２２やかっさ板２２６の把持部２２４、２２８（図２、図３参照）を持って、客である被施術者１の肌に押し当てることにより（図４Ａ〜図４Ｃ参照）、肌にパルスの微弱電流（１０μＡ〜１０００μＡ）が流れて美容施術する。本実施形態ではパルスとして矩形波を用いて説明しているが、これに限らず、正弦波や三角波、のこぎり波等の他の波形であってもよい。なお、矩形波、三角波、のこぎり波等のパルス生成方法については公知であるため、ここでは詳細な説明を省略する。
【００２０】
図１に示すように、鍼用出力端子１２２、１２２には、円鍼２２２、２２２の導電線２２３、２２３が接続され、かっさ用出力端子１２６には、かっさ板２２６、２２６の導電線２２７が接続されている。導電線２２７は途中で二股に分岐して２本の導電線２２７のそれぞれに１つのかっさ板２２６が接続されている。円鍼２２２やかっさ板２２６の先端部分は導体になっており、該先端部分は導電線２２３、２２７を介してパルス生成装置１００と電気的に接続されている。
【００２１】
図２に示すように、円鍼２２２は導電線２２３と把持部２２４とを有している。また、図３に示すように、かっさ板２２６は導電線２２７と把持部２２８とを有している。把持部２２４、２２８は、円鍼２２２やかっさ板２２６の先端部分から絶縁されている。パルス生成装置１００で生成されたパルス列は、円鍼２２２やかっさ板２２６の先端部分から被施術者１の肌に通電される。なお、把持部２２４、２２８は先端部分と導通した構成であってもよい。その場合は、施術者は絶縁性の手袋を装着して円鍼２２２やかっさ板２２６を把持する。
【００２２】
図４Ａ〜図４Ｃに示すように、被施術者１の肌に押し当てるのは、かっさ板２２６とかっさ板２２６の組み合わせ（図４Ａ）でも、円鍼２２２と円鍼２２２の組み合わせ（図４Ｂ）でも、かっさ板２２６と円鍼２２２の組み合わせ（図４Ｃ）のいずれでもよい。また、円鍼２２２は、図２に示すように、先端部分が球に突起が形成された形状に限らず、単なる球状であってもよいし、円板状であってもよい。また、先端部分に多数の突起を有して回転するローラを有する形状であってもよい。
【００２３】
図１に示すように、パルス生成装置１００は、正面の操作パネル１０２にメイン電源スイッチ１１０、鍼用スイッチ１３２、かっさ用スイッチ１３６、パワーレベルスイッチ１４０、スタートストップスイッチ１５０、タイマースイッチ１６０等を備えている。パルス生成装置１００の内部構成は後述する。
【００２４】
メイン電源スイッチ１１０は、装置全体への通電のオンオフを切り替えることができ、オンのときに出力端子１２０からのパルス列の出力を可能にする。鍼用スイッチ１３２とかっさ用スイッチ１３６は、オンにすることにより、パルスを出力する端子を鍼用出力端子１２２、１２２とかっさ用出力端子１２６のいずれか一方、若しくは両方に設定することができる。選択された出力端子１２０は選択表示灯１３３、１３７の点灯により認識される。
【００２５】
スタートストップスイッチ１５０は、パルス列を出力するよう設定した出力端子１２０からのパルス列の出力のオン、オフを切り替えることができる。パルス列出力中の出力端子１２０は出力表示灯１５２、１５４の点灯により認識される。
【００２６】
パワーレベルスイッチ１４０はパワーダウンスイッチ１４２とパワーアップスイッチ１４４からなり、これらのスイッチを操作することにより、出力パルスの電圧の最大値を０．３Ｖ〜８．１Ｖまで変化させることができる。出力電圧はパワーレベルメータ１４６の点灯により表される。
【００２７】
タイマースイッチ１６０は、パルスを出力する時間を設定することができ、本実施形態においては、タイマースイッチ１６０を押すごとに１０分、２０分、３０分をこの順で繰り返し、所望の時間に設定することができる。デフォルトの設定は１０分である。タイマースイッチ１６０による設定時間はタイマー時間表示窓１６２に表示される。タイマー時間表示窓１６２には７セグメントのＬＥＤによる２桁の数字で、設定時間及びパルス列出力の残り時間が表示される。すなわち、スタートストップスイッチ１５０の押下前はタイマースイッチ１６０による設定時間が表示され、スタートストップスイッチ１５０の押下後はパルス列を出力する時間の経過に伴い、表示された数字が設定時間から減少していく。
【００２８】
図５に、パルス生成装置１００のブロック図を示す。操作パネル１０２は大きく入力部１０４と表示部１０６とから構成されている。入力部１０４には、操作パネル１０２に配置されたメイン電源スイッチ１１０、鍼用スイッチ１３２、かっさ用スイッチ１３６、パワーレベルスイッチ１４０、スタートストップスイッチ１５０、タイマースイッチ１６０等が含まれる。また、表示部１０６には、入力部１０４から中央情報処理装置（ＣＰＵ）１８６入力され、処理された各種情報が表示され、例えば、操作パネル１０２に配置された選択表示灯１３３、１３７、出力表示灯１５２、１５４、パワーレベルメータ１４６、タイマー時間表示窓１６２の設定時間やパルス出力残り時間等が含まれる。
【００２９】
図５に示すように、鍼用スイッチ１３２とかっさ用スイッチ１３６の操作による入力は出力端子設定部１８２に入力され、パルスを出力する端子の情報がＣＰＵ１８６に入力される。パワーレベルスイッチ１４０の操作による入力は電圧設定部１８３に入力され、出力電圧値がＣＰＵ１８６に入力される。スタートストップスイッチ１５０の操作による入力は出力指示部１８４に入力され、パルス出力のオン、オフの情報がＣＰＵ１８６に入力される。タイマースイッチ１６０の操作による入力はタイマー時間設定部１８５に入力され、出力端子１２０からのパルス出力が継続する時間（タイマー作動時間）の情報がＣＰＵ１８６に入力される。各機能部は、ＣＰＵ１８６を中核部材としてハードウェア又はソフトウェアあるいはその両方で構築されている。
【００３０】
ＣＰＵ１８６は前述の入力部１０４からの情報に基づいて作動し、予めＣＰＵ１８６内に組み込まれたプログラムによってパルス列が生成、出力され、増幅部１８８を経由して出力部１８９にある出力端子１２０からパルス列が出力される。このパルス列が接続された円鍼２２２やかっさ板２２６の先端部分から被施術者１の肌に通電される。
【００３１】
電源部１８７はＡＣアダプターであって、外部の商用電源から入力されたＡＣ１００Ｖを直流電圧に変換して、パルス生成装置１００の各部に供給する。
【００３２】
〔生成されるパルス列〕
次に、パルス生成装置１００で生成されるパルス列について説明する。パルス生成装置１００では３種類のパルス列である第１パルス列Ｗ１、第２パルス列Ｗ２、第３パルス列Ｗ３を生成することができる。図６に第１パルス列Ｗ１、図７に第２パルス列Ｗ２、図８に第３パルス列Ｗ３の１サイクルの波形をそれぞれ示す。図６〜図８はそれぞれ、横軸が時間、縦軸が出力電圧となっている。また、各図において表されているパルス列の３つの波形のうち、１番上にあるのが、正極性の電圧であるＡ出力の波形であり、中央にあるのが、負極性の電圧であるＢ出力の波形である。一番下にあるのが、Ａ出力とＢ出力とを合成した最終合成出力である。なお、第１パルス列Ｗ１、第２パルス列Ｗ２、第３パルス列Ｗ３はいずれも交流パルス列の一例である。
【００３３】
パルス列が鍼用出力端子１２２、１２４から出力される場合は、円鍼２２２、２２２の一方から出力されるパルス列がＡ出力となり、他方がＢ出力となる。また、パルス列がかっさ用出力端子１２６から出力される場合は、かっさ板２２６、２２６の一方から出力されるパルス列がＡ出力となり、他方がＢ出力となる。Ａ出力のかっさ板２２６とＢ出力のかっさ板２２６（図４Ａ参照）、又は、Ａ出力の円鍼２２２とＢ出力の円鍼２２２（図４Ｂ参照）を被施術者１の肌に押し付けることにより、肌には最終合成出力のパルス波形の微弱電流が流れる。なお、円鍼２２２、２２２、及び、かっさ板２２６、２２６には、Ａ出力とＢ出力のいずれが出力されるかが視認できるようにマーキングが施されている。これにより、図４Ｃのように、円鍼２２２とかっさ板２２６とを用いて美容施術する場合であっても、Ａ出力とＢ出力を組み合わせて適切な美容施術を行うことができる。
【００３４】
第１パルス列Ｗ１について説明する。図６に示すように、第１パルス列Ｗ１は、１２．８秒を１サイクルとして所定の時間、該サイクルが繰り返し生成されるパルス列である。Ａ出力とＢ出力とはパワーレベルスイッチ１４０で設定された同じ最大電圧で逆極性のパルスが時間をずらして生成され、出力される。以下、第１パルス列Ｗ１の１サイクルを８００ミリ秒ずつの１６区間に分割し、区間ごとに最終合成出力について説明する。図６においてＡ出力のパルス波形の上方にある１〜１６の数字が第１区間〜第１６区間を表す。
【００３５】
第１区間において、最初の３００ミリ秒は負極性のパルスである第１パルスが生成され、５０ミリ秒のパルスオフ（＝出力電圧が０Ｖ）の後、同極性で５０ミリ秒のパルスである第１サブパルスが生成される。その後、続けて３００ミリ秒の正極性のパルスである第２パルスが生成され、５０ミリ秒のパルスオフの後、同極性で第１サブパルスが生成される。図６の第１パルス列Ｗ１において、第１サブパルスとは、電圧の極性に関係なく、５０ミリ秒のパルスを意味するものとする。なお、第１パルス列Ｗ１において、３００ミリ秒は第１持続時間の一例である。
【００３６】
このように１つの区間（８００ミリ秒）で第１パルスと第２パルスとを１回ずつ含むパルス列を第１パターンと称する。第１パターンにおいて、第１サブパルスは、１回の第１パルスの生成につき１回生成され、１回の第２パルスの生成につき１回生成されるが、第１パルス、第２パルスと第１サブパルスの生成順序は任意である。すなわち、第１サブパルスが第１パルス、第２パルスより先に生成されてもいいし、後に生成されてもいい。そして、第１パターンを３回繰り返したパルス列を第２パターンと称する。すなわち、第２パターンにおいては、第１サブパルスは６回生成される。
【００３７】
図６の第１区間〜第３区間におけるパルス列は、いずれの第１サブパルスも第１パルス、第２パルスの生成後に生成される第２パターンである。すなわち、第１パルス、５０ミリ秒のパルスオフ、第１サブパルス、第２パルス、５０ミリ秒のパルスオフ、第１サブパルス、第１パルス、５０ミリ秒のパルスオフ、第１サブパルス、第２パルス、５０ミリ秒のパルスオフ、第１サブパルス、第１パルス、５０ミリ秒のパルスオフ、第１サブパルス、第２パルス、５０ミリ秒のパルスオフ、第１サブパルスの順で第２パターンのパルス列が生成される。
【００３８】
第４区間においては、７５０ミリ秒のパルスオフである第１パルスオフとその後に正極性の第１サブパルスが生成される。第５区間〜第７区間におけるパルス列は、いずれの第１サブパルスも第１パルス、第２パルスの生成前に生成される第２パターンである。すなわち、第１サブパルス、５０ミリ秒のパルスオフ、第１パルス、第１サブパルス、５０ミリ秒のパルスオフ、第２パルス、第１サブパルス、５０ミリ秒のパルスオフ、第１パルス、第１サブパルス、５０ミリ秒のパルスオフ、第２パルス、第１サブパルス、５０ミリ秒のパルスオフ、第１パルス、第１サブパルス、５０ミリ秒のパルスオフ、第２パルスの順で第２パターンのパルス列が生成される。
【００３９】
第８区間は、第４区間と同じで、第１パルスオフとその後に正極性の第１サブパルスが生成される。第９区間は、第１パルス、５０ミリ秒のパルスオフ、負極性の第１サブパルス、正極性の第１サブパルス、５０ミリ秒のパルスオフ、第２パルスの順で第１パターンのパルス列が生成される。第１０区間のパルス列は第４区間と同じで、第１パルスオフとその後に正極性の第１サブパルスとが生成される。
【００４０】
第１１区間は、負極性の第１サブパルス、５０ミリ秒のパルスオフ、第１パルス、第２パルス、５０ミリ秒のパルスオフ、正極性の第１サブパルスの順で第１パターンのパルス列が生成される。第１２区間は、第４区間と同じで、第１パルスオフとその後に正極性の第１サブパルスが生成される。第１３区間は、第９区間と同じで、第１パルス、５０ミリ秒のパルスオフ、負極性の第１サブパルス、正極性の第１サブパルス、５０ミリ秒のパルスオフ、第２パルスの順で第１パターンのパルス列が生成される。
【００４１】
第１４区間は、第４区間と同じで、第１パルスオフとその後に正極性の第１サブパルスが生成される。第１５区間は、第１１区間と同じで、負極性の第１サブパルス、５０ミリ秒のパルスオフ、第１パルス、第２パルス、５０ミリ秒のパルスオフ、正極性の第１サブパルスの順で第１パターンのパルス列が生成される。第１６区間は、第４区間と同じで、第１パルスオフとその後に正極性の第１サブパルスが生成される。
【００４２】
次に第２パルス列Ｗ２について説明する。図７に示すように、第２パルス列Ｗ２も、１２．８秒を１サイクルとして所定の時間、該サイクルが繰り返し生成されるパルス列である。Ａ出力とＢ出力の最大電圧は第１パルス列Ｗ１と同じである。以下、第２パルス列Ｗ２の１サイクルを８００ミリ秒ずつの１６区間に分割し、区間ごとに最終合成出力について説明する。図７においてＡ出力のパルス波形の上方にある１〜１６の数字が第１区間〜第１６区間を表す。
【００４３】
第１区間と第２区間（計１６００ミリ秒）においては、最初の１５００ミリ秒は正極性のパルスである第３パルスが生成され、５０ミリ秒のパルスオフの後、同極性で５０ミリ秒のパルスである第２サブパルスが生成される。第３区間においては、負極性で８００ミリ秒の第４パルスが生成される。図７の第２パルス列Ｗ２において、第２サブパルスとは、電圧の極性に関係なく、５０ミリ秒のパルスを意味するものとする。なお、第２パルス列Ｗ２において、８００ミリ秒は第２持続時間の一例である。
【００４４】
第４区間においては、正極性の第２サブパルスの生成後に７５０ミリ秒のパルスオフである第２パルスオフとなる。第５区間、第６区間のパルス列は、第１区間、第２区間と同じであり、最初に第３パルスが生成され、５０ミリ秒のパルスオフの後、同極性で第２サブパルスが生成される。第７区間は、第３区間と同じで、第４パルスが生成される。第８区間は、第４区間と同じで、正極性の第２サブパルスの生成後に第２パルスオフとなる。
【００４５】
第９区間においては、正極性で８００ミリ秒の第５パルスが生成される。第１０区間においては、負極性の第２サブパルスの生成後に第２パルスオフとなる。第１１区間は、第３区間と同じで、第４パルスが生成される。第１２区間は、第４区間と同じで、正極性の第２サブパルスの生成後に第２パルスオフとなる。第１３区間は、第９区間と同じで、第５パルスが生成される。第１４区間は８００ミリ秒のパルスオフである。第１５区間、第１６区間においては、正極性の第２サブパルスが生成され、その後続けて第４パルスが生成され、第２パルスオフとなる。
【００４６】
次に第３パルス列Ｗ３について説明する。図８に示すように、第３パルス列Ｗ３も、１２．８秒を１サイクルとして所定の時間、該サイクルが繰り返し生成されるパルス列である。Ａ出力とＢ出力の最大電圧は第１パルス列Ｗ１、第２パルス列Ｗ２と同じである。以下、第３パルス列Ｗ３の１サイクルを８００ミリ秒ずつの１６区間に分割し、区間ごとに最終合成出力について説明する。図８においてＡ出力のパルス波形の上方にある１〜１６の数字が第１区間〜第１６区間を表す。
【００４７】
第１区間において、最初の５０ミリ秒は負極性のパルスである第３サブパルスが生成され、５０ミリ秒のパルスオフの後、同極性で３００ミリ秒のパルスである第６パルスが生成される。その後、続けて５０ミリ秒の正極性の第３サブパルスが生成され、５０ミリ秒のパルスオフの後、同極性で３００ミリ秒のパルスである第７パルスが生成される。図８の第３パルス列Ｗ３において、第３サブパルスとは、電圧の極性に関係なく、５０ミリ秒のパルスを意味するものとする。なお、第３パルス列Ｗ３において、３００ミリ秒は第３持続時間の一例である。第２区間は、第１区間と同じで、負極性の第３サブパルス、５０ミリ秒のパルスオフ、第６パルス、正極性の第３サブパルス、５０ミリ秒のパルスオフ、第７パルスのパルス列が生成される。
【００４８】
このように２つの区間（１６００ミリ秒）で第６パルスと第７パルスとを１回ずつ含むパルス列が２回繰り返されるパルス列を第３パターンと称する。第３パターンにおいて、第３サブパルスは、１回の第６パルスの生成につき１回生成され、１回の第７パルスの生成につき１回生成されるが、第６パルス、第７パルスと第３サブパルスの生成順序は任意である。すなわち、第３サブパルスが第６パルス、第７パルスより先に生成されてもいいし、後に生成されてもいい。第３パターンにおいては、第３サブパルスは４回生成される。
【００４９】
第３区間においては、負極性の第３サブパルスの生成後に、７５０ミリ秒のパルスオフである第３パルスオフとなる。
【００５０】
第４区間においては、１００ミリ秒の負極性のパルス、２００ミリ秒のパルスオフ、１００ミリ秒の負極性のパルス、正極性の第３サブパルスからなるパルス列である第４パターンが生成され、続けて３５０ミリ秒のパルスオフである第４パルスオフとなる。第５区間においては、１００ミリ秒の正極性のパルス、２００ミリ秒のパルスオフ、１００ミリ秒の正極性のパルス、負極性の第３サブパルスからなるパルス列である第５パターンが生成され、続けて第４パルスオフとなる。
【００５１】
第６区間、第７区間におけるパルス列は、第３サブパルスが第１、第２区間とは異なるタイミングで生成される第３パターンである。すなわち、第６パルス、５０ミリ秒のパルスオフ、負極性の第３サブパルス、正極性の第３サブパルス、５０ミリ秒のパルスオフ、第７パルス、第６パルス、５０ミリ秒のパルスオフ、負極性の第３サブパルス、正極性の第３サブパルス、５０ミリ秒のパルスオフ、第７パルスの順で第３パターンのパルス列が生成される。
【００５２】
第８区間は、第３区間と同じで、負極性の第３サブパルスの生成後に第３パルスオフとなる。第９区間は、第４区間と同じで、第４パターンの生成後に第４パルスオフとなる。第１０区間〜第１３区間においては、第５パターン、第３パルスオフ、第４パターン、第４パルスオフ、第５パターン、第３パルスオフの順でパルス列が生成される。
【００５３】
第１４区間は、第４区間と同じで、第４パターンの生成後に第４パルスオフとなる。第１５区間、第１６区間は、第５パターン、７００ミリ秒のパルスオフ、第４パターンの順でパルス列が生成される。
【００５４】
これらの第１パルス列Ｗ１〜第３パルス列Ｗ３の生成、出力コマンドは、図５に示すパルス生成装置１００の出力モード設定部１８１に予め記憶されており、タイマースイッチ１６０による設定時間と関連付けられている。具体的には、設定時間に応じて表１に示すようなパルス列を出力する。
【００５５】
【表１】
2016182271.tif 000003
すなわち、タイマースイッチ１６０による設定時間が１０分のときは、第１パルス列Ｗ１が３分間出力され、次に第２パルス列Ｗ２が４分間出力され、次に第３パルス列Ｗ３が３分間出力される。タイマースイッチ１６０による設定時間が２０分のときは、第１パルス列Ｗ１が６分間出力され、次に第２パルス列Ｗ２が８分間出力され、次に第３パルス列Ｗ３が６分間出力される。タイマースイッチ１６０による設定時間が３０分のときは、設定時間１０分のときと同じように、第１パルス列Ｗ１が３分間出力され、次に第２パルス列Ｗ２が４分間出力され、次に第３パルス列Ｗ３が３分間出力され、これが３回繰り返される。出力モード設定部１８１内に記憶されたソフトウェアにより、第１パルス列Ｗ１〜第３パルス列Ｗ３は上記の所定出力時間の経過により第１パルス列Ｗ１から第２パルス列Ｗ２、第２パルス列Ｗ２から第３パルス列Ｗ３、第３パルス列Ｗ３から第１パルス列Ｗ１に、それぞれ自動的に切り替えられるように構成されている。
【００５６】
本実施形態においては、第１パルス列Ｗ１〜第３パルス列Ｗ３のいずれにも、５０ミリ秒のパルスである第１サブパルス、第２サブパルス、第３サブパルスが出力パルス列に含まれている。この第１サブパルス〜第３サブパルスがパルス列に加えられていることにより、美容施術による被施術者１の美容効果を、従来のパルス列を用いた施術による美容効果よりも高めることができる。発明者は、第１サブパルス〜第３サブパルスによるより高い美容効果を見出し、本願発明を創出するに至ったのである。
【００５７】
第１パルス列Ｗ１〜第３パルス列Ｗ３の出力時間と出力順序は表１の設定に限られるものではなく、異なる出力時間、出力順序であってよい。また、タイマースイッチ１６０による設定時間のパルス列の出力において、第１パルス列Ｗ１〜第３パルス列Ｗ３のうち、任意の１つのパルス列、又は、２つのパルス列だけを出力するように構成されていてもよい。
【００５８】
本実施形態においては、第１パルス列Ｗ１〜第３パルス列Ｗ３の出力時間と出力順序がタイマースイッチ１６０の設定時間に対して予め決められていたが、タイマースイッチ１６０の設定時間と第１パルス列Ｗ１〜第３パルス列Ｗ３の出力時間、出力順序とが独立して設定可能に構成されていてもよい。例えば、パルス生成装置１００の操作パネル１０２に第１パルス列Ｗ１〜第３パルス列Ｗ３の出力時間と出力順序を施術者が手動で設定することができるように構成されていてもよい。
【００５９】
本実施形態においては、パルス生成装置１００は３種類のパルスを生成したが、パルス生成装置１００が第１パルス列Ｗ１〜第３パルス列Ｗ３のいずれか１つ又は２つだけを生成可能に構成されていてもよい。
【産業上の利用可能性】
【００６０】
本発明は、被施術者の肌のしわやたるみを改善する美容効果を得るために肌に通電する交流パルスを生成する美容用パルス生成装置に利用することが可能である。
【符号の説明】
【００６１】
１        被施術者
１００    美容用パルス生成装置
Ｗ１      第１パルス列（交流パルス列）
Ｗ２      第２パルス列（交流パルス列）
Ｗ３      第３パルス列（交流パルス列）
【図１】
2016182271.tif 000004
【図２】
2016182271.tif 000005
【図３】
2016182271.tif 000006
【図４Ａ】
2016182271.tif 000007
【図４Ｂ】
2016182271.tif 000008
【図４Ｃ】
2016182271.tif 000009
【図５】
2016182271.tif 000010
【図６】
2016182271.tif 000011
【図７】
2016182271.tif 000012
【図８】
2016182271.tif 000013